【手続補正書】
【提出日】令和1年8月16日(2019.8.16)
【手続補正１】
【補正対象書類名】明細書
【補正対象項目名】０１０６
【補正方法】変更
【補正の内容】
【０１０６】
様々な実施例を説明してきた。これらの及び他の実施例は、以下の特許請求の範囲内である。
（付記）
（付記１）
コンピューティングデバイスによって、画像取込みデバイスから、記号セットの１つ以上の記号のセットを含む光学活性物品の画像を受信することであって、前記画像内に表された前記１つ以上の記号のセットの少なくとも１つの記号が、前記記号に埋め込まれた１つ以上のエンコード領域のセットを含む、ことと、
前記画像を受信したことに応じて、前記コンピューティングデバイスによって、前記画像の特定の画像領域が前記少なくとも１つの記号を表すことを判定することと、
前記少なくとも１つの記号内の１つ以上のエンコード領域に関して、前記コンピューティングデバイスによって、少なくとも一部、前記画像の前記特定の画像領域が前記少なくとも１つの記号を表すという前記判定に基づいて、前記１つ以上のエンコード領域が活性又は不活性であるかを判定することと、
前記コンピューティングデバイスによって、少なくとも一部、前記１つ以上のエンコード領域が活性又は不活性であるかに基づいて、１つ以上の動作を実行することと、を含む、方法。
（付記２）
閾値光強度を上回る光を反射する第１のエンコード領域は活性であり、前記閾値光強度を上回る前記光を反射しない第２のエンコード領域は不活性である、付記１に記載の方法。
（付記３）
閾値光強度を上回る光を反射する第１のエンコード領域は不活性であり、前記閾値光強度を上回る前記光を反射しない第２のエンコード領域は活性である、付記１に記載の方法。
（付記４）
前記１つ以上のエンコード領域が活性又は不活性であるかを判定することは、
前記コンピューティングデバイスによって、前記少なくとも１つの記号を表す前記画像の前記特定の画像領域に基づいて、前記記号内の前記エンコード領域に対する既定位置のセットを判定することと、
前記既定位置のそれぞれの対応する位置に対して、前記対応する既定位置に対応するそれぞれのエンコード領域が活性又は不活性であるかを判定することと、
前記１つ以上のエンコード領域が活性又は不活性であるかに基づいて、１つ以上の値を判定することと、を含む、付記１に記載の方法。
（付記５）
前記１つ以上のエンコード領域は、視覚的に不透明で赤外透過性のインクで前記光学活性物品の再帰反射表面上に印刷され、前記１つ以上のエンコード領域を除く前記少なくとも１つの記号の残部は、視覚的に不透明で赤外不透明なインクで印刷された、付記１に記載の方法。
（付記６）
前記１つ以上のエンコード領域の１つ以上の活性エンコード領域を表す画素値の第１のセットは、画素値の第１の範囲内であり、
前記１つ以上の活性エンコード領域を除く前記少なくとも１つの記号の残部を表す画素値の第２のセットは、前記画素値の第１の範囲とは異なる画素値の第２の範囲内である、付記１に記載の方法。
（付記７）
前記画像は、第１の画像であり、前記光学活性物品の前記第１の画像は、近赤外スペクトル内の第１のスペクトル範囲内で取込まれ、
前記光学活性物品の第２の画像は、可視スペクトル内の第２のスペクトル範囲内で取込まれ、
前記第２の画像内の前記少なくとも１つの記号を表す画素値の第３のセットは、前記画素値の第２の範囲内であり、前記少なくとも１つの記号を表す前記画素値の第３のセットの第１の割合は、前記少なくとも１つの記号を表す前記画素値の第２のセットの第２の割合より大きい、付記６に記載の方法。
（付記８）
前記画像は、近赤外スペクトル内の照明条件下で取込まれる、付記１に記載の方法。
（付記９）
前記記号は、第１のスペクトル範囲内で人間が読み取れる情報を表し、１つ以上の活性及び不活性エンコード領域は、第２のスペクトル範囲内で機械可読情報を表す、付記１に記載の方法。
（付記１０）
前記第１のスペクトル範囲は、３５０〜７５０ｎｍの波長を含み、前記第２のスペクトル範囲は、７５０ｎｍより大きな波長を含む、付記９に記載の方法。
（付記１１）
前記１つ以上のエンコード領域は、異なるサイズである、付記１に記載の方法。
（付記１２）
前記１つ以上のエンコード領域は、重なり合わない、付記１に記載の方法。
（付記１３）
前記１つ以上のエンコード領域は、間隙、又は、文字、グリフ、若しくは数字のうちの少なくとも１つである記号のうちの少なくとも１つを含む、付記１に記載の方法。
（付記１４）
前記コンピューティングデバイスによって、前記１つ以上のエンコード領域の活性エンコード領域の位置を判定することと、
前記コンピューティングデバイスによって、少なくとも一部、前記活性エンコード領域の前記位置に基づいて、値を判定することと、を更に含み、
１つ以上の動作を実行することは、少なくとも一部、前記値に基づいて、前記１つ以上の動作を実行することを含む、付記１に記載の方法。
（付記１５）
前記コンピューティングデバイスによって、前記１つ以上のエンコード領域の活性エンコード領域の１つ以上の画素値のセットを判定することと、
前記コンピューティングデバイスによって、前記１つ以上の画素値のセットが画素値の複数の範囲の特定の範囲内の値であることを判定することと、
前記コンピューティングデバイスによって、少なくとも一部、前記特定の範囲に基づいて、値を判定することと、を更に含み、
１つ以上の動作を実行することは、少なくとも一部、前記値に基づいて、前記１つ以上の動作を実行することを含む、付記１に記載の方法。
（付記１６）
前記コンピューティングデバイスによって、前記記号の少なくとも２つのエンコード領域の間の距離を判定することと、
前記コンピューティングデバイスによって、少なくとも一部、前記距離に基づいて、値を判定することと、を更に含み、
１つ以上の動作を実行することは、少なくとも一部、前記値に基づいて、前記１つ以上の動作を実行することを含む、付記１に記載の方法。
（付記１７）
前記コンピューティングデバイスによって、前記少なくとも１つの記号の１つ以上のエンコード領域からなる割合を判定することと、
前記コンピューティングデバイスによって、少なくとも一部、前記割合に基づいて、値を判定することと、を更に含み、
１つ以上の動作を実行することは、少なくとも一部、前記値に基づいて、前記１つ以上の動作を実行することを含む、付記１に記載の方法。
（付記１８）
前記コンピューティングデバイスによって、前記１つ以上のエンコード領域の活性エンコード領域のサイズを判定することと、
前記コンピューティングデバイスによって、少なくとも一部、前記サイズに基づいて、値を判定することと、を更に含み、
１つ以上の動作を実行することは、少なくとも一部、前記値に基づいて、前記１つ以上の動作を実行することを含む、付記１に記載の方法。
（付記１９）
前記コンピューティングデバイスによって、基準位置と前記１つ以上のエンコード領域の活性エンコード領域の位置との間の径方向距離を判定することと、
前記コンピューティングデバイスによって、少なくとも一部、前記径方向距離に基づいて、値を判定することと、を更に含み、
１つ以上の動作を実行することは、少なくとも一部、前記値に基づいて、前記１つ以上の動作を実行することを含む、付記１に記載の方法。
（付記２０）
前記コンピューティングデバイスによって、誤り検出コードを表す１つ以上のエンコードデータユニットの１つ以上の値を判定することと、
前記コンピューティングデバイスによって、前記誤り検出コードに基づいて、検査を実行して、前記誤り検出コードが有効であるか否かを判定することと、を更に含み、
１つ以上の動作を実行することは、少なくとも一部、前記誤り検出コードが有効であるか否かに基づいて、前記１つ以上の動作を実行することを含む、付記１に記載の方法。
（付記２１）
前記１つ以上のエンコード領域のそれぞれの活性エンコード領域は、第１の値を表し、
前記１つ以上のエンコード領域のそれぞれの不活性エンコード領域は、第２の値を表し、
前記コンピューティングデバイスによって、前記第１の値及び前記第２の値の１つ以上のインスタンスを有するビットストリングを生成することを更に含む、付記１に記載の方法。
（付記２２）
少なくとも１つのエンコードユニットが、前記１つ以上の記号のセットのいずれにも埋め込まれていない、付記１に記載の方法。
（付記２３）
前記１つ以上の動作は、料金を徴収すること、車両登録が有効であることを検証すること、偽造プレート判定を実行すること、又は誤り検出検査を実行することを含む、付記１に記載の方法。
（付記２４）
１つ以上のコンピュータプロセッサと、
命令を含むメモリと、を備えるコンピューティングデバイスであって、前記命令は、前記１つ以上のコンピュータプロセッサによって実行されると、前記１つ以上のコンピュータプロセッサに付記１〜２３のいずれか一項に記載の方法を実行させる、コンピューティングデバイス。
（付記２５）
実行されるとコンピューティングデバイスの少なくとも１つのプロセッサに付記１〜２３のいずれか一項に記載の方法を実行させる命令をエンコードした、非一時的なコンピュータ可読記憶媒体。
（付記２６）
付記１〜２３のいずれか一項に記載の方法を実行するための手段を備える装置。
（付記２７）
コンピューティングデバイスによって、画像取込みデバイスから、記号セットの１つ以上の記号のセットを含む光学活性物品の画像を受信することであって、前記画像内に表された１つ以上の記号のセットの少なくとも１つの記号が前記記号に埋め込まれた１つ以上の活性エンコード領域のセットを含む、ことと、
少なくとも一部、前記記号を表す画像データ及び前記少なくとも１つの記号の複数の変異形を表す画像データに基づいて、前記少なくとも１つの記号の前記複数の変異形から前記少なくとも１つの記号の特定の変異形を選択することと、
前記少なくとも１つの記号の前記変異形に関連付けられた値を判定することと、
前記コンピューティングデバイスによって、少なくとも一部、前記値に基づいて、１つ以上の動作を実行することと、を含む、方法。
（付記２８）
前記記号を表す前記画像データを特徴ベクトルにパラメータ化することと、
前記特徴ベクトルを分類器に入力することと、を更に含み、
前記少なくとも１つの記号の前記特定の変異形を選択することは、少なくとも一部、前記分類器による分類に基づいて、前記特定の変異形を判定することを含む、付記２７に記載の方法。
（付記２９）
前記特定の変異形は、それぞれ前記複数の変異形に関連付けられた複数のスコアの中の最も高いスコアを有する、付記２８に記載の方法。
（付記３０）
前記特徴ベクトルを前記分類器に入力する前に、少なくとも一部、前記少なくとも１つの記号の前記複数の変異形を表す前記画像データに基づいて、前記分類器を訓練することを更に含む、付記２８に記載の方法。
（付記３１）
前記複数の変異形のそれぞれの変異形は、同じ少なくとも１つの記号を表し、
前記複数の変異形のそれぞれの変異形は、活性エンコード領域の異なる配置を含む、付記２７に記載の方法。
（付記３２）
前記変異形に関連付けられた前記値は、バイナリ値、１０進数値、又は文字列のうちの少なくとも１つである、付記２７に記載の方法。
（付記３３）
前記１つ以上の活性エンコード領域のセットは、閾値光強度を上回る光を反射する、付記２７に記載の方法。
（付記３４）
前記１つ以上の活性エンコード領域のセットは、閾値光強度を上回る光を反射しない、付記２７に記載の方法。
（付記３５）
前記１つ以上の活性エンコード領域のセットは、視覚的に不透明で赤外透過性のインクで前記光学活性物品の再帰反射表面上に印刷され、前記１つ以上の活性エンコード領域を除く前記少なくとも１つの記号の残部は、視覚的に不透明で赤外不透明なインクで印刷された、付記２７に記載の方法。
（付記３６）
前記１つ以上の活性エンコード領域を表す画素値の第１のセットは、画素値の第１の範囲内であり、
前記１つ以上の活性エンコード領域を除く前記少なくとも１つの記号の残部を表す画素値の第２のセットは、前記画素値の第１の範囲とは異なる画素値の第２の範囲内である、付記２７に記載の方法。
（付記３７）
前記画像は、近赤外スペクトル内の照明条件下で取込まれる、付記２７に記載の方法。
（付記３８）
１つ以上のコンピュータプロセッサと、
命令を含むメモリと、を備えるコンピューティングデバイスであって、前記命令は、前記１つ以上のコンピュータプロセッサによって実行されると、前記１つ以上のコンピュータプロセッサに付記２７〜３７のいずれか一項に記載の方法を実行させる、コンピューティングデバイス。
（付記３９）
実行されるとコンピューティングデバイスの少なくとも１つのプロセッサに付記２７〜３７のいずれか一項に記載の方法を実行させる命令をエンコードした、非一時的なコンピュータ可読記憶媒体。
（付記４０）
付記２７〜３７のいずれか一項に記載の方法を実行するための手段を備える装置。
（付記４１）
再帰反射基材と、
前記再帰反射基材上に配置された１つ以上の記号のセットと、を備える再帰反射物品であって、前記再帰反射基材上に配置された少なくとも１つの記号は、少なくとも活性又は不活性である複数のエンコード領域を含み、前記複数のエンコード領域は、少なくとも一部、前記複数のエンコード領域のうちの１つが活性又は不活性であるかに基づく１つ以上の値を表す、再帰反射物品。
（付記４２）
再帰反射基材と、
前記再帰反射基材上に配置された１つ以上の記号のセットと、を備える再帰反射物品であって、前記再帰反射基材上に配置された少なくとも１つの記号は、複数の活性エンコード領域を含み、前記複数のエンコード領域は、前記少なくとも１つの記号を、前記少なくとも１つの記号の複数の変異形の中の前記少なくとも１つの記号の変異形として識別する、再帰反射物品。
（付記４３）
少なくとも１つの記号が、それぞれが少なくとも活性又は不活性である複数のエンコード領域を含む、複数の記号を指定する印刷仕様を受信することと、
再帰反射物品上に、前記複数のエンコード領域の少なくとも前記活性又は不活性エンコード領域に対して視覚的に不透明で赤外透過性のインクを配置することと、
前記再帰反射物品上に、前記複数のエンコード領域の前記少なくとも活性又は不活性エンコード領域の他方の領域に対して視覚的に不透明で赤外不透明なインクを配置することと、を含む、方法。
（付記４４）
少なくとも１つの記号の複数の変異形の中の前記少なくとも１つの記号の変異形を指定する印刷仕様を受信することと、
再帰反射物品上に、前記少なくとも１つの記号の前記複数の変異形の中の前記記号の前記変異形を識別する、前記記号の前記変異形の１つ以上の活性エンコード領域に、視覚的に不透明で赤外透過性のインク、又は視覚的に不透明で赤外透過性のインクのうちの少なくとも１つを配置することと、を含む、方法。
【手続補正２】
【補正対象書類名】特許請求の範囲
【補正対象項目名】全文
【補正方法】変更
【補正の内容】
【特許請求の範囲】
【請求項１】
コンピューティングデバイスによって、画像取込みデバイスから、記号セットの１つ以上の記号のセットを含む光学活性物品の画像を受信することであって、前記画像内に表された前記１つ以上の記号のセットの少なくとも１つの記号が、前記記号に埋め込まれた１つ以上のエンコード領域のセットを含む、ことと、
前記画像を受信したことに応じて、前記コンピューティングデバイスによって、前記画像の特定の画像領域が前記少なくとも１つの記号を表すことを判定することと、
前記少なくとも１つの記号内の１つ以上のエンコード領域に関して、前記コンピューティングデバイスによって、少なくとも一部、前記画像の前記特定の画像領域が前記少なくとも１つの記号を表すという前記判定に基づいて、前記１つ以上のエンコード領域が活性又は不活性であるかを判定することと、
前記コンピューティングデバイスによって、少なくとも一部、前記１つ以上のエンコード領域が活性又は不活性であるかに基づいて、１つ以上の動作を実行することと、を含む、方法。
【請求項２】
閾値光強度を上回る光を反射する第１のエンコード領域は活性であり、前記閾値光強度を上回る前記光を反射しない第２のエンコード領域は不活性である、請求項１に記載の方法。
【請求項３】
閾値光強度を上回る光を反射する第１のエンコード領域は不活性であり、前記閾値光強度を上回る前記光を反射しない第２のエンコード領域は活性である、請求項１に記載の方法。
【請求項４】
前記１つ以上のエンコード領域が活性又は不活性であるかを判定することは、
前記コンピューティングデバイスによって、前記少なくとも１つの記号を表す前記画像の前記特定の画像領域に基づいて、前記記号内の前記エンコード領域に対する既定位置のセットを判定することと、
前記既定位置のそれぞれの対応する位置に対して、前記対応する既定位置に対応するそれぞれのエンコード領域が活性又は不活性であるかを判定することと、
前記１つ以上のエンコード領域が活性又は不活性であるかに基づいて、１つ以上の値を判定することと、を含む、請求項１に記載の方法。
【請求項５】
前記１つ以上のエンコード領域は、視覚的に不透明で赤外透過性のインクで前記光学活性物品の再帰反射表面上に印刷され、前記１つ以上のエンコード領域を除く前記少なくとも１つの記号の残部は、視覚的に不透明で赤外不透明なインクで印刷された、請求項１に記載の方法。
【請求項６】
前記１つ以上のエンコード領域の１つ以上の活性エンコード領域を表す画素値の第１のセットは、画素値の第１の範囲内であり、
前記１つ以上の活性エンコード領域を除く前記少なくとも１つの記号の残部を表す画素値の第２のセットは、前記画素値の第１の範囲とは異なる画素値の第２の範囲内である、請求項１に記載の方法。
【請求項７】
前記画像は、第１の画像であり、前記光学活性物品の前記第１の画像は、近赤外スペクトル内の第１のスペクトル範囲内で取込まれ、
前記光学活性物品の第２の画像は、可視スペクトル内の第２のスペクトル範囲内で取込まれ、
前記第２の画像内の前記少なくとも１つの記号を表す画素値の第３のセットは、前記画素値の第２の範囲内であり、前記少なくとも１つの記号を表す前記画素値の第３のセットの第１の割合は、前記少なくとも１つの記号を表す前記画素値の第２のセットの第２の割合より大きい、請求項６に記載の方法。
【請求項８】
前記コンピューティングデバイスによって、前記１つ以上のエンコード領域の活性エンコード領域の位置を判定することと、
前記コンピューティングデバイスによって、少なくとも一部、前記活性エンコード領域の前記位置に基づいて、値を判定することと、を更に含み、
１つ以上の動作を実行することは、少なくとも一部、前記値に基づいて、前記１つ以上の動作を実行することを含む、請求項１に記載の方法。
【請求項９】
前記コンピューティングデバイスによって、前記１つ以上のエンコード領域の活性エンコード領域の１つ以上の画素値のセットを判定することと、
前記コンピューティングデバイスによって、前記１つ以上の画素値のセットが画素値の複数の範囲の特定の範囲内の値であることを判定することと、
前記コンピューティングデバイスによって、少なくとも一部、前記特定の範囲に基づいて、値を判定することと、を更に含み、
１つ以上の動作を実行することは、少なくとも一部、前記値に基づいて、前記１つ以上の動作を実行することを含む、請求項１に記載の方法。
【請求項１０】
前記コンピューティングデバイスによって、前記記号の少なくとも２つのエンコード領域の間の距離を判定することと、
前記コンピューティングデバイスによって、少なくとも一部、前記距離に基づいて、値を判定することと、を更に含み、
１つ以上の動作を実行することは、少なくとも一部、前記値に基づいて、前記１つ以上の動作を実行することを含む、請求項１に記載の方法。
【請求項１１】
前記コンピューティングデバイスによって、前記少なくとも１つの記号の１つ以上のエンコード領域からなる割合を判定することと、
前記コンピューティングデバイスによって、少なくとも一部、前記割合に基づいて、値を判定することと、を更に含み、
１つ以上の動作を実行することは、少なくとも一部、前記値に基づいて、前記１つ以上の動作を実行することを含む、請求項１に記載の方法。
【請求項１２】
前記コンピューティングデバイスによって、前記１つ以上のエンコード領域の活性エンコード領域のサイズを判定することと、
前記コンピューティングデバイスによって、少なくとも一部、前記サイズに基づいて、値を判定することと、を更に含み、
１つ以上の動作を実行することは、少なくとも一部、前記値に基づいて、前記１つ以上の動作を実行することを含む、請求項１に記載の方法。
【請求項１３】
前記コンピューティングデバイスによって、基準位置と前記１つ以上のエンコード領域の活性エンコード領域の位置との間の径方向距離を判定することと、
前記コンピューティングデバイスによって、少なくとも一部、前記径方向距離に基づいて、値を判定することと、を更に含み、
１つ以上の動作を実行することは、少なくとも一部、前記値に基づいて、前記１つ以上の動作を実行することを含む、請求項１に記載の方法。
【請求項１４】
前記コンピューティングデバイスによって、誤り検出コードを表す１つ以上のエンコードデータユニットの１つ以上の値を判定することと、
前記コンピューティングデバイスによって、前記誤り検出コードに基づいて、検査を実行して、前記誤り検出コードが有効であるか否かを判定することと、を更に含み、
１つ以上の動作を実行することは、少なくとも一部、前記誤り検出コードが有効であるか否かに基づいて、前記１つ以上の動作を実行することを含む、請求項１に記載の方法。
【請求項１５】
前記１つ以上のエンコード領域のそれぞれの活性エンコード領域は、第１の値を表し、
前記１つ以上のエンコード領域のそれぞれの不活性エンコード領域は、第２の値を表し、
前記コンピューティングデバイスによって、前記第１の値及び前記第２の値の１つ以上のインスタンスを有するビットストリングを生成することを更に含む、請求項１に記載の方法。
【請求項１６】
コンピューティングデバイスによって、画像取込みデバイスから、記号セットの１つ以上の記号のセットを含む光学活性物品の画像を受信することであって、前記画像内に表された１つ以上の記号のセットの少なくとも１つの記号が前記記号に埋め込まれた１つ以上の活性エンコード領域のセットを含む、ことと、
少なくとも一部、前記記号を表す画像データ及び前記少なくとも１つの記号の複数の変異形を表す画像データに基づいて、前記少なくとも１つの記号の前記複数の変異形から前記少なくとも１つの記号の特定の変異形を選択することと、
前記少なくとも１つの記号の前記変異形に関連付けられた値を判定することと、
前記コンピューティングデバイスによって、少なくとも一部、前記値に基づいて、１つ以上の動作を実行することと、を含む、方法。
【請求項１７】
前記記号を表す前記画像データを特徴ベクトルにパラメータ化することと、
前記特徴ベクトルを分類器に入力することと、を更に含み、
前記少なくとも１つの記号の前記特定の変異形を選択することは、少なくとも一部、前記分類器による分類に基づいて、前記特定の変異形を判定することを含む、請求項１６に記載の方法。
【請求項１８】
前記複数の変異形のそれぞれの変異形は、同じ少なくとも１つの記号を表し、
前記複数の変異形のそれぞれの変異形は、活性エンコード領域の異なる配置を含む、請求項１６に記載の方法。
【請求項１９】
前記１つ以上の活性エンコード領域のセットは、閾値光強度を上回る光を反射する、請求項１６に記載の方法。
【請求項２０】
前記１つ以上の活性エンコード領域のセットは、閾値光強度を上回る光を反射しない、請求項１６に記載の方法。
【請求項２１】
前記１つ以上の活性エンコード領域を表す画素値の第１のセットは、画素値の第１の範囲内であり、
前記１つ以上の活性エンコード領域を除く前記少なくとも１つの記号の残部を表す画素値の第２のセットは、前記画素値の第１の範囲とは異なる画素値の第２の範囲内である、請求項１６に記載の方法。